(57)【要約】【課題】  コンクリート壁の開口部に設置するにあたり、通路の幅が狭くなったり、有効開口が狭くなったりすることを防止できる門扉の提供。【解決手段】  コンクリート壁１で形成される開口部２に取付けられるものであって、門柱３，３と、門柱３に開閉自在に取付けた扉体４と、門柱３をコンクリート壁１に固定する固定具５を備え、門柱３は、コンクリート壁１の扉体開き側面に形成した凹部６に見込方向の略半分を収容し、凹部６と門柱３の隙間を充填材７で埋めてあり、コンクリート壁１と門柱３とを固定具５で固定している。【選択図】      図１
2014122489.tif 000002
【特許請求の範囲】
【請求項１】
コンクリート壁で形成される開口部に取付けられるものであって、門柱と、門柱に開閉自在に取付けた扉体と、門柱をコンクリート壁に固定する固定具を備え、門柱は、コンクリート壁の扉体開き側面に形成した凹部に見込方向の略半分を収容し、凹部と門柱の隙間を充填材で埋めてあり、コンクリート壁と門柱とを固定具で固定していることを特徴とする門扉。
【発明の詳細な説明】
【技術分野】
【０００１】
本発明は、コンクリート壁で形成された開口部に設置される門扉に関する。
【背景技術】
【０００２】
コンクリート壁の開口部に、門扉を取付けることが求められた。この場合に、図７（ａ）に示すように、コンクリート壁９０の見付面９１に門柱９２を取付けると通路９３が狭くなり、図７（ｂ）に示すように、コンクリート壁９０の見込面９４に門柱９２を取付けると、有効開口９５が狭くなる問題がある。
【発明の概要】
【発明が解決しようとする課題】
【０００３】
本発明は以上に述べた実情に鑑み、コンクリート壁の開口部に設置するにあたり、通路の幅が狭くなったり、有効開口が狭くなったりすることを防止できる門扉の提供を目的とする。
【課題を解決するための手段】
【０００４】
上記の課題を達成するために請求項１記載の発明による門扉は、コンクリート壁で形成される開口部に取付けられるものであって、門柱と、門柱に開閉自在に取付けた扉体と、門柱をコンクリート壁に固定する固定具を備え、門柱は、コンクリート壁の扉体開き側面に形成した凹部に見込方向の略半分を収容し、凹部と門柱の隙間を充填材で埋めてあり、コンクリート壁と門柱とを固定具で固定していることを特徴とする。
【発明の効果】
【０００５】
請求項１記載の発明による門扉は、門柱をコンクリート壁の扉体開き側面に形成した凹部に見込方向の略半分を収容したことで、半外付けにできるので、通路幅と有効開口を確保できる。凹部と門柱の隙間を充填材で埋めてあるため、水の浸入を防ぐことができる。
【図面の簡単な説明】
【０００６】
【図１】図３のＡ−Ａ断面図である。
【図２】図３のＢ−Ｂ断面図である。
【図３】本発明の門扉の一実施形態を示す正面図である。
【図４】同門扉の平面図である。
【図５】本発明の門扉が取付けられた堤防を示す斜視図である。
【図６】同堤防の平面図である。
【図７】コンクリート壁で形成された開口部への門扉の設置状態の例を示す平面図である。
【発明を実施するための形態】
【０００７】
以下、本発明の実施の形態を図面に基づいて説明する。図５，６は、沿岸部に設置されるコンクリートで形成された堤防８を示している。この堤防８は、海側と陸側に階段９を設置すると共に、コンクリート壁１に開口部２を設け、堤防８を乗り越えて海側と陸側を行き来するための通路１０を設けている。堤防８の全体の高さは約１０ｍ、開口部２が設けられた堤防乗り越え部のコンクリート壁１の高さは１．１ｍである。この開口部２に本発明に係る門扉１１が設置されており、以下、門扉１１の構成について説明する。
【０００８】
門扉１１は、図３に示すように、左右一対の門柱３，３と、一方の門柱３にヒンジ１２により海側に開くように取付けられた扉体４と、門柱３，３をコンクリート壁１に固定するための固定具５とを備えている。ヒンジ１２は、バネを内蔵した公知のオートクローズヒンジを用いており、扉体４を開けた後で手を離すと、扉体４は自動的に閉鎖するようになっている。扉体４の戸先框１３には、ハンドル１４とラッチ錠１５と戸当り１６が設けてあり、扉体４が閉鎖するとラッチ錠１５により施錠される。さらに戸先框１３には、図示しない落し棒が設けてあり、落し棒により扉体４を全開にした状態で保持することもできる。
【０００９】
門柱３は、図１に示すように、アルミニウム合金の押出形材よりなる四角形断面の中空の部材となっており、コンクリート壁１の海側の見付面に形成された凹部６に見込方向の略半分が収容されており、いわゆる半外付けにしている。凹部６と門柱３との隙間は、モルタル７を充填して塞いである。なお凹部６は、コンクリート壁１を打設する際にあらかじめ形成される。門柱３の上端部には、小口キャップ１７が取付けてある。
【００１０】
固定具５は、図１に示すように、アルミの板をＬ形に曲げて形成したもので、見付片１８と見込片１９とを有している。見付片１８は、コンクリート壁１に埋め込んだアンカー２０にナット４１で締め付けて固定され、見込片１９は門柱３内に配置したナット付の裏板２１にボルト２２を螺合して固定される。見込片１９のボルト２２の挿通孔は上下方向の長孔となっており、門柱３の設置高さを調整できるようになっている。
【００１１】
扉体４は、図３に示すように、上框２３と下框２４と戸先框１３と吊元框２５とを框組みし、上下框２３，２４間に格子材２６を架設し、框の枠の開口部の海側及び陸側にパネル２７，２７を取付けて構成してある。上框２３と下框２４は、アルミニウム合金の押出形材で形成したものであり、図２に示すように、内周側が開口した嵌合溝２８を有し、嵌合溝２８にアルミ形材で形成したコ字形断面の付子２９を嵌合保持している。格子材２６は、アルミ形材で形成したものであり、付子２９にネジ３０で固定されている。戸先框１３と吊元框２５もアルミ形材で形成したものであり、図１に示すように、内周側の側面を上下框２３，２４の端面に当接し、ネジ３１を上下框２３，２４のタッピングホールに捩じ込んで固定してある。戸先框１３及び吊元框２５の上下端部には、小口キャップ３２が取付けてある。パネル２７もアルミ製で、格子材２６にネジ３３で固定してある。海側のパネル２７の周囲と各框１３，２３，２４，２５との間には、図１，２に示すように、陸側から発泡ウレタン（充填材）４２を吹き付け、パネル２７と框１３，２３，２４，２５との隙間をシールしてある。これにより、框１３，２３，２４，２５とパネル２７の隙間からの水の浸入を防いでいる。扉体４は、図１に示すように、海側の見付面が門柱３の海側の見付面と略面一になっている。
【００１２】
門柱３には、図１に示すように、戸先框１３及び吊元框２５の陸側に隣接する位置にアルミ形材よりなるタイト材ホルダー３４が取付けてあり、タイト材ホルダー３４には海側に向けてタイト材３５が取付けてあって、タイト材３５が戸先框１３及び吊元框２５の陸側の面に当接している。タイト材ホルダー３４は、門柱３との間にシール材（ノルシール）４３を挟み込んでネジ止めしてあり、これによりタイト材ホルダー３４と門柱３の間からの水の浸入を防いでいる。
また、左右のコンクリート壁１間には、図２に示すように、下框２４の陸側に隣接する位置に高さ１００ｍｍの立ち上がり部３６が設けてある。立ち上がり部３６の長手方向端部と門柱３との隙間は、モルタル４４で埋めてある（図１参照）。下框２４の陸側の面には、図２に示すように、タイト材ホルダー３７がネジ３８で取付けてあり、タイト材ホルダー３７には陸側に向けてタイト材３９が取付けてあって、タイト材３９が立ち上がり部３６の海側の見付面に当接している。タイト材ホルダー３７のネジ３８の挿通孔は上下方向の長孔となっており、タイト材ホルダー３７の取付高さを調節できるようになっている。なお立ち上がり部３６は、コンクリート壁１を打設する際に同時に形成される。
【００１３】
このように、門柱３に扉体４の戸先框１３及び吊元框２５に当接するタイト材３５を設け、扉体４の下框２４に立ち上がり部３６に当接するタイト材３９を設けたことで、海側から開口部２の高さまで水が押し寄せても、その水が陸側に浸入するのを防止することができる。戸先框１３・吊元框２５に隣接するタイト材ホルダー３４を門柱３に設けたことで、タイト材ホルダー３４の取付けが容易で、扉体４の動作の妨げにならない。下框２４にタイト材ホルダー３７を設け、立ち上がり部３６に当接させたことで、タイト材ホルダー３７の取付けが容易で、扉体４の動作の妨げにならない。タイト材ホルダー３４，３７にタイト材３５，３９を設けたことで、タイト材３５，３９の弾性力で当接面に密着させ、水の浸入を確実に防止できる。さらに、戸先框１３・吊元框２５に当接するタイト材３５の下端部には、図２に示すようにシール材４５を付け、シール材４５でタイト材３５の下端と下框２４に取付けられたタイト材ホルダー３７との隙間を塞いでいる。これにより三方のタイト材３５，３９によるタイトラインが繋がり、コーナー部からの水の浸入を防ぐことができる。なおシール材４５は、下框２４のタイト材３９には付かないようにしているので、扉体４の開閉の妨げとならない。また、立ち上がり部３６を設けること自体にも海側からの水の浸入を堰き止める効果があり、段差が確認できるため転倒を防止できる。
【００１４】
次に、本門扉１１の施工手順を説明する。左右の門柱３，３を、コンクリート壁１にあらかじめ形成した凹部６に見込方向の略半分を収容して配置し、固定具５により門柱３をコンクリート壁１に固定する。次に、凹部６と門柱３との隙間をモルタル７で埋める。その後、門柱３に組み立てた扉体４をヒンジ１２で取付ける。
【００１５】
本門扉１１は以上に述べたように、門柱３をコンクリート壁１の海側の見付面に形成した凹部６に見込方向の略半分を収容したことで、半外付けにできるので、図４に示すように、通路１０の幅と有効開口４０を広く確保できる。凹部６と門柱３の隙間をモルタル７で埋めてあるため、門柱３とコンクリート壁１の間から水が浸入することがない。コンクリート壁１と門柱３とを固定具５で固定しているため、門柱３を強固に設置することができ、またコンクリート壁１の開口部２に門扉１１を後付けするのが容易である。さらに、門柱３に扉体４の戸先框１３及び吊元框２５の陸側面に当接するタイト材３５を設け、開口部２の下側に立ち上がり部３６を設けて扉体４の下框２４に取付けたタイト材３９を立ち上がり部３６に当接しているため、開口部２の高さまで水が押し寄せても陸側に水が浸入するのを防止できる。扉体４は、四周框組みした枠内に格子材２６を設け、尚且つ框の枠内に内外のパネル２７，２７を配置して格子材２６に固定した構造のため、堅牢性が優れている。また本門扉１１は、全体がアルミ製のため、塩害に強い。
【００１６】
本発明は以上に述べた実施形態に限定されない。門柱３や扉体４の材質、扉体４や固定具５の構造等は、適宜変更することができる。本発明の門扉は、コンクリート壁で形成されたあらゆる開口部に設置することができ、堤防に限らず例えば塀の開口部等に設置することもできる。
【符号の説明】
【００１７】
１  コンクリート壁
２  開口部
３  門柱
４  扉体
５  固定具
６  凹部
７  モルタル（充填材）
【図１】
2014122489.tif 000003
【図２】
2014122489.tif 000004
【図３】
2014122489.tif 000005
【図４】
2014122489.tif 000006
【図５】
2014122489.tif 000007
【図６】
2014122489.tif 000008
【図７】
2014122489.tif 000009